(57)【要約】【課題】駆動源を利用してカメラの位置制御をすることで使用上の便利性を向上させる。【解決手段】送受話のための回路、マイク及びボタンが設けられ一側に間隔をおいて突出されて互いに対向方向に溝を形成する固定部を備えた本体と、本体の固定部間に位置し、ヒンジ結合される中空状のハウジングを備えて、送受話のための回路、スピーカー及び表示窓が設けられるホルダーと、ホルダーの回動方向と同一の方向に回転されるようにハウジングに設置され、ハウジングの外部に被写体を撮像するレンズが位置されるカメラと、ハウジング内に設置されて選択的に駆動力を発生して出力端に連結したカメラに駆動力を伝達する駆動部と、駆動部に電気信号を印加して作動を制御する制御部とから構成された。【選択図】　図３
2004015798.tif 000002
【特許請求の範囲】
【請求項１】
送受話のための回路、マイク及びボタンが設けられ一側に間隔をおいて突出されて互いに対向方向に溝を形成する固定部を備えた本体と、
前記本体の固定部間に位置し、ヒンジ結合される中空状のハウジングを備えて、送受話のための回路、スピーカー及び表示窓が設けられるホルダーと、
前記ホルダーの回動方向と同一の方向に回転されるようにハウジングに設置され、前記ハウジングの外部に被写体を撮像するレンズが位置されるカメラと、
前記ハウジング内に設置されて選択的に駆動力を発生して出力端に連結したカメラに駆動力を伝達する駆動部と、
前記駆動部に電気信号を印加して作動を制御する制御部と、
から構成されたことを特徴とする、カメラ駆動装置が装着された携帯電話機。
【請求項２】
前記駆動部は、前記ハウジング内に固定設置されて電源供給を受けて正逆方向の回転力を発生させるモータと、
前記モータの一側に設置されて回転力を減速しながらトルクを増大させる減速機と、
から構成されたことを特徴とする、請求項１記載のカメラ駆動装置が装着された携帯電話機。
【請求項３】
前記制御部は、前記カメラの回動に伴う位相を検出して駆動部の電源を断続する信号を出力することで、前記カメラと駆動部の相互に対向する面に対応するように設置されて相互選択的に通電されるブラシ及び整流子から構成されたことを特徴とする、請求項１記載のカメラ駆動装置が装着された携帯電話機。
【請求項４】
前記制御部は、前記本体の一側に設けられ、使用者の操作力を受けて駆動部に印加される電源を断続するように配線されるスイッチであることを特徴とする、請求項１記載のカメラ駆動装置が装着された携帯電話機。
【請求項５】
前記制御部は、前記カメラの回転に伴う位相を検出して駆動部の電源を断続する信号を出力することで、前記カメラと駆動部の相互に対向する面に対応するように設置される磁界センサであることを特徴とする、請求項１記載のカメラ駆動装置が装着された携帯電話機。
【請求項６】
前記ホルダーのハウジングは、前記カメラの回転時、レンズ部分が外部に露出されて被写体の撮像が可能にカメラの回転方向に部分切り欠きされていることを特徴とする、請求項１記載のカメラ駆動装置が装着された携帯電話機。
【請求項７】
前記ハウジングの切り欠かれた部分と前記カメラの側部との間には前記本体から突出される補強部が嵌合される形態で備えられ、カメラの両側を支持することを特徴とする、請求項６記載のカメラ駆動装置が装着された携帯電話機。
【請求項８】
前記カメラは、一側部に電源、映像信号及び制御信号を入出力するためのＦＰＣが連結し、このＦＰＣはハウジングの切り欠かれた部分を介してホルダー内に延びることを特徴とする、請求項１記載のカメラ駆動装置が装着された携帯電話機。
【請求項９】
前記カメラは、一側部に電源、映像信号及び制御信号を入出力するためのＦＰＣが連結され、このＦＰＣは固定部の切り欠かれた部分を介して本体内に延びることを特徴とする、請求項１記載のカメラ駆動装置が装着された携帯電話機。
【請求項１０】
前記一対の補強部中のいずれか１つは、前記カメラの側部に連結され、電源と映像信号及び制御信号を入出力するＦＰＣの一端が本体側に延びるように通路が形成されたことを特徴とする、請求項７記載のカメラ駆動装置が装着された携帯電話機。
【請求項１１】
送受話のための回路、マイク及びボタンが設けられ、一側に間隔をおいて突出されて互いに対向方向に溝を形成する固定部を備えた本体と、
前記本体の固定部の間に位置して、ヒンジ結合される中空状のハウジングを具備し、送受話のための回路、スピーカー及び表示窓が設けられるホルダーと、
前記ハウジングに近接されるホルダーの一側に設けられたホールに回転可能に設けられるカメラと、
前記ハウジング内に設置されて選択的に駆動力を発生させて出力端を通して伝達する駆動部と、
前記駆動部の駆動力をカメラに伝達して回転されるようにする動力伝達部と、
前記駆動部に電気信号を印加して作動を制御する制御部と、
から構成されることを特徴とする、カメラ駆動装置が装着された携帯電話機。
【請求項１２】
前記駆動部は、前記ハウジング内に固定設置されて電源供給を受けて正逆方向の回転力を発生させるモータと、
前記モータの一側に設置されてモータから回転力の伝達を受けて減速しながらトルクは増大させて出力端を回転させる減速機と、
から構成されることを特徴とする、請求項１１記載のカメラ駆動装置が装着された携帯電話機。
【請求項１３】
前記動力伝達部は、前記駆動部の出力端に軸結合されて、外周面にギア歯が形成される第１ギアと、
前記カメラの一側に位置されてカメラとポストとで連結して一体に連動されるように構成され、外周面に形成されたギア歯が前記第１ギアに噛合されて回転力の伝達を受ける第２ギアと、
から構成されることを特徴とする、請求項１１記載のカメラ駆動装置が装着された携帯電話機。
【請求項１４】
前記第１ギアと第２ギアとは、平ギアと半月ギアとで構成されることを特徴とする、請求項１３記載のカメラ駆動装置が装着された携帯電話機。
【請求項１５】
前記制御部は、前記カメラの回動に伴う位相を検出して駆動部の電源を断続する信号を出力することで前記カメラと駆動部の相互に対向する面に対応するように設置されて相互選択的に通電されるブラシ及び整流子で構成されたことを特徴とする、請求項１１記載のカメラ駆動装置が装着された携帯電話機。
【請求項１６】
前記制御部は、前記本体の一側に具備され、使用者の操作力を受けて駆動部に印加される電源を断続するように配線されるスイッチであることを特徴とする、請求項１１記載のカメラ駆動装置が装着された携帯電話機。
【請求項１７】
前記制御部は、前記カメラの回転に伴う位相を検出して駆動部の電源を断続する信号を出力することで前記カメラと駆動部の相互に対向する面に対応するように設置される磁界センサであることを特徴とする、請求項１１記載のカメラ駆動装置が装着された携帯電話機。
【請求項１８】
被写体を撮像するレンズを具備するカメラと、
前記カメラの一側に出力端が連結されて、選択的に駆動力を生成して出力端を回転させる駆動部と、
前記駆動部に電気信号を印加して作動を制御する制御部と、
から構成されることを特徴とするカメラ駆動装置。
【請求項１９】
前記駆動部は、電源の供給を受けて正逆方向の回転力を選択的に発生させるモータと、
前記モータの一側に設置されて回転力を減速しながらトルクを増大させる減速機と、
から構成されることを特徴とする、請求項１８記載のカメラ駆動装置。
【請求項２０】
前記制御部は、前記カメラの回動に伴う位相を検出して駆動部の電源を断続する信号を出力して前記カメラと駆動部の相互に対向する面に対応するように設置されて相互選択的に通電されるブラシ及び整流子で構成されたことを特徴とする、請求項１８記載のカメラ駆動装置。
【請求項２１】
前記制御部は、前記使用者の操作力を受けて駆動部に印加される電源を断続するように配線されたスイッチであることを特徴とする、請求項１８記載のカメラ駆動装置。
【請求項２２】
前記制御部は、前記カメラの回転に伴う位相を検出して駆動部の電源を断続する信号を出力することで前記カメラと駆動部の相互に対向する面に対応されるように設置される磁界センサであることを特徴とする、請求項１８記載のカメラ駆動装置。
【発明の詳細な説明】
【０００１】
【発明の属する技術分野】
本発明は、移動通信端末機である携帯電話機に関するもので、より詳しくは、カメラの位置制御を自動にして使用上の便利性を提供できるようにしたカメラ駆動装置及びカメラ駆動装置が装着された携帯電話機に関するものである。
【０００２】
【従来の技術】
一般的に、移動通信の形態としては、移動体相互間の直接通信（無線送受信機）、１つの基地局と多数の移動体間の通信（ＭＣＡ無線）、複数の基地局で近くの基地局を選択する通信（自動車電話）などがある。最近では、携帯用周辺装置を利用して場所に拘束されずにコンピュータ業務とネットワーク接続を介してデータの送受信を自由にできるＰＤＡ（Ｐｅｒｓｏｎａｌ　Ｄｉｇｉｔａｌ　Ａｓｓｉｓｔａｎｔｓ：個人用デジタル補助機）、スマートフォン、ＨＰＣ（Ｈａｎｄ　Ｈｅｌｄ　ＰＣ：携帯用ＰＣ）などがある。
【０００３】
このような移動通信は、その使用端末機の携帯が簡便で使用上の便利さによって需要が爆発的に増えており、消費者の多様な欲求を満たすために小型化及び多機能化される傾向にある。
【０００４】
通例的に移動通信端末機、即ち、携帯電話機はその形状によって数字（機能）ボタンが外部に露出された状態にあるバー（Ｂａｒ）タイプと、数字（機能）ボタンを覆って遮蔽させるカバーを備えたフリップ（Ｆｌｉｐ）タイプと、本体が半分に折り畳まれるホルダー（Ｆｏｌｄｅｒ）タイプなどに分類され、小型化の傾向に伴って、ホルダータイプの携帯電話機の普及が増えている。
【０００５】
図１及び図２は、従来技術に係るカメラを内蔵したホルダー型携帯電話機を示す斜視図である。
【０００６】
ここに示されるとおり、ホルダータイプの携帯電話機は、大きく、本体１００とホルダー２００とから構成されている。前記本体１００は前面側に通常、数字及び機能ボタン１１０とマイク１２０が具備されており、内部には送受話のための各種構成の電装部品（図示せず）を内蔵し、後面側に電源供給のためのバッテリーパック（図示せず）が装着されている。
【０００７】
また、前記ホルダー２００は、各種の通話情報及び機能情報を表示する表示窓（ｌｉｑｕｉｄ　ｃｒｙｓｔａｌ　ｄｉｓｐｌａｙ）２１０と、スピーカー２２０などを含んで構成され、この他にも各種構成の電装部品（図示せず）が内蔵されている。
【０００８】
こうした構成のホルダー型携帯電話機は、上述したホルダー２００が本体１００に対して一端でヒンジ結合されている。このヒンジを中心にホルダー２００が本体１００から正方向又は逆方向に回動されて、開閉をなすのである。
【０００９】
一方、最近、上記のような携帯電話機は、単純な送受話機能から脱し、超高速データ電送が可能になるにつれ、多様な付加機能を搭載した製品が市場に発表されている。このような製品等の中の代表がカメラを装着した携帯電話機である。
【００１０】
前記カメラを装着した携帯電話機は、基本的に人や物を撮って保存したり、Ｅ−Ｍａｉｌで電送したりできるだけでなく、リアルタイムで相手方の顔を見ながら通話する動映像通話を可能にする。また、ＧＰＳ機能を利用して写真が撮られた場所に対する位置情報を受ける用途としても活用できる。
【００１１】
このようにカメラを装着した携帯電話機は、図面に示されていないが、多様な形態で提供されており、その中のひとつは、カメラが携帯電話機とは別途に具備されて着脱式に提供されている着脱タイプと、カメラを携帯電話機の本体に内蔵させる内蔵タイプに区分される。
【００１２】
ここで、前記着脱タイプは携帯電話機の外部にカメラを着脱する構造で、カメラの方向は手動で切り換えるように構成されている。このような着脱タイプは、使用者がカメラを別途に所持して携帯しなければならない不便さと、カメラが携帯電話機の外部に具備されるために携帯電話機の全体の体躯が大きくなるという短所がある。
【００１３】
特に、自身の正面の姿だけでなく、周辺を撮影するためには手動でカメラを回転させなければならず、そのときごとにいちいち焦点を合せなければならない不便さがある。
【００１４】
反面、内蔵タイプの携帯電話機は、携帯電話機の内部にカメラを内蔵したことで外観構成が単純になり、カメラを別途に携帯しなくてもよい利点はある。しかしながら、これもまた本人だけでなく周辺を撮影するためには手動でカメラを回転させて焦点を合せなければならない不便さがある。
【００１５】
このようにカメラを装着した携帯電話機は、その便利性によって需要が急増しているが、カメラの角度を手動で調節することによってユーザーの望むものを自由自在に撮影するのに困難であるという短所がある。
【００１６】
【発明が解決しようとする課題】
このような問題点を解決するために従来には図１及び図２に示されたような一対のカメラ５００，６００をそれぞれホルダー２００の内外側面に具備させた内蔵タイプの携帯電話機が提案されている。しかし、これもまた複数個のカメラ５００，６００を具備しなければならない。そのため、製品の価格が上昇する問題点があり、また、小型化の傾向にある携帯電話機にカメラが複数個構成しなければならないため、製造及び設計上の自由度が大きく低下し、結果的に小型化が困難であるという問題点がある。
【００１７】
本発明は、上記の従来の問題点を解決するためになされたもので、本発明の目的は、駆動源を利用してカメラの位置制御をすることで使用上の便利性を向上させることができるカメラ駆動装置及びこのカメラ駆動装置が装着された携帯電話機を提供することにある。
【００１８】
【課題を解決するための手段】
上記目的を達成するために、本発明に係るカメラ駆動装置が装着された携帯電話機は、送受話のための回路、マイク及びボタンが設けられ一側に間隔をおいて突出されて互いに対向方向に溝を形成する固定部を備えた本体と、前記本体の固定部間に位置し、ヒンジ結合される中空状のハウジングを備えて、送受話のための回路、スピーカー及び表示窓が設けられるホルダーと、前記ホルダーの回動方向と同一の方向に回転されるようにハウジングに設置され、前記ハウジングの外部に被写体を撮像するレンズが位置されるカメラと、前記ハウジング内に設置されて選択的に駆動力を発生して出力端に連結したカメラに駆動力を伝達する駆動部と、前記駆動部に電気信号を印加して作動を制御する制御部とから構成されたことを特徴とする。
【００１９】
本発明の望ましい特徴として、前記駆動部は、前記ハウジング内に固定設置されて電源供給を受けて正逆方向の回転力を発生させるモータと、前記モータの一側に設置されて回転力を減速しながらトルクを増大させる減速機とから構成されることを特徴とする。
【００２０】
本発明の望ましい他の特徴としては、前記制御部は、前記カメラの回動に伴う位相を検出して駆動部の電源を断続する信号を出力することで、前記カメラと駆動部の相互に対向する面に対応するように設置されて相互選択的に通電されるブラシ及び整流子から構成されたことを特徴とする。
【００２１】
本発明の望ましい他の特徴としては、前記制御部は、前記本体の一側に設けられ、使用者の操作力を受けて駆動部に印加される電源を断続するように配線されるスイッチであることを特徴とする。
【００２２】
本発明の望ましい他の特徴としては、前記制御部は、前記カメラの回転に伴う位相を検出して駆動部の電源を断続する信号を出力することで、前記カメラと駆動部の相互に対向する面に対応するように設置される磁界センサであることを特徴とする。
【００２３】
本発明の望ましい他の特徴としては、前記ホルダーのハウジングは、前記カメラの回転時、レンズ部分が外部に露出されて被写体の撮像が可能にカメラの回転方向に部分切り欠きされていることを特徴とする。
【００２４】
本発明の望ましい他の特徴としては、前記ハウジングの切り欠かれた部分と前記カメラの側部との間には前記本体から突出される補強部が嵌合される形態で備えられ、カメラの両側を支持することを特徴とする。
【００２５】
本発明の望ましい他の特徴としては、前記カメラは、一側部に電源、映像信号及び制御信号を入出力するためのＦＰＣが連結し、このＦＰＣはハウジングの切り欠かれた部分を介してホルダー内に延びることを特徴とする。
【００２６】
本発明の望ましい他の特徴としては、前記カメラは、一側部に電源、映像信号及び制御信号を入出力するためのＦＰＣが連結され、このＦＰＣは固定部の切り欠かれた部分を介して本体内に延びることを特徴とする。
【００２７】
本発明の望ましい他の特徴としては、前記一対の補強部中のいずれか１つは、前記カメラの側部に連結され、電源と映像信号及び制御信号を入出力するＦＰＣの一端が本体側に延びるように通路が形成されたことを特徴とする。
【００２８】
本発明に係るカメラ駆動装置が装着された携帯電話機の異なる実施形態では、送受話のための回路、マイク及びボタンが設けられ、一側に間隔をおいて突出されて互いに対向方向に溝を形成する固定部を備えた本体と、前記本体の固定部の間に位置して、ヒンジ結合される中空状のハウジングを具備し、送受話のための回路、スピーカー及び表示窓が設けられるホルダーと、前記ハウジングに近接されるホルダーの一側に設けられたホールに回転可能に設けられるカメラと、前記ハウジング内に設置されて選択的に駆動力を発生させて出力端を通して伝達する駆動部と、前記駆動部の駆動力をカメラに伝達して回転されるようにする動力伝達部と、前記駆動部に電気信号を印加して作動を制御する制御部とから構成されることを特徴とする。
【００２９】
本発明の望ましい一特徴としては、前記駆動部は、前記ハウジング内に固定設置されて電源供給を受けて正逆方向の回転力を発生させるモータと、前記モータの一側に設置されてモータから回転力の伝達を受けて減速しながらトルクは増大させて出力端を回転させる減速機とから構成されることを特徴とする。
【００３０】
本発明の望ましい一特徴としては、前記動力伝達部は、前記駆動部の出力端に軸結合されて、外周面にギア歯が形成される第１ギアと、前記カメラの一側に位置されてカメラとポストとで連結して一体に連動されるように構成され、外周面に形成されたギア歯が前記第１ギアに噛合されて回転力の伝達を受ける第２ギアとから構成されることを特徴とする。
【００３１】
本発明の望ましい一特徴としては、前記第１ギアと第２ギアとは、平ギアと半月ギアとで構成されることを特徴とする。
【００３２】
本発明に係るカメラ駆動装置は、被写体を撮像するレンズを具備するカメラと、前記カメラの一側に出力端が連結されて、選択的に駆動力を生成して出力端を回転させる駆動部と、前記駆動部に電気信号を印加して作動を制御する制御部とから構成されることを特徴とする。
【００３３】
【発明の実施の形態】
以下、添付された図面を参照して本発明に係るカメラ駆動装置及びカメラ駆動装置が装着された携帯電話機の望ましい一実施形態を説明する。
【００３４】
図３は、本発明に係るカメラ駆動装置が装着された携帯電話機の第１実施形態を示したホルダー型携帯電話機の要部断面図である。
【００３５】
これに示されるとおり、本発明に係るカメラ駆動装置が装着された携帯電話機は、大きく分類すれば、本体１０、ホルダー２０、カメラ５０、駆動部、及び制御部とから構成されている。
【００３６】
本体１０は、図示しないが、送受話のための回路を内蔵する構造であり、前面には各種機能及び数字ボタン１１が配列され、下部の一側にはマイク（部材番号なし）が具備される構造である。こうした本体１０の一側には一対の固定部１５が互いに間隔をおいて突出されている。この固定部１５は互いに対向する方向に溝を形成する構成である。
【００３７】
即ち、図面によると、本体１０の上側両終端で一対の固定部１５が突出され、これら固定部１５は後述するホルダー２０のハウジング２５がヒンジ結合されるように互いに対向する方向に溝を形成する構成である。
【００３８】
ホルダー２０は、上述した本体１０と同じように送受話のための回路と各種電装品を内蔵する構造であり、前面又は前後面に通話情報及び機能情報を示す表示窓２１が具備され、上部の一側にはスピーカー２２が具備される構造である。このようなホルダー２０の一側には上述した一対の固定部１５間に位置されてヒンジ結合されるハウジング２５が具備され、このときのハウジング２５は略円筒形状に構成され、中空形状をなしている。
【００３９】
このように構成される前記本体１０とホルダー２０は、ヒンジアセンブリ３０により回動される。このヒンジアセンブリ３０は、相互にテーパ状の部位を介して嵌合される雌型及び雄型カプラ３１，３２と、スプリング３３、そして、ヒンジのダミー３４とから構成されている。この前記雌型及び雄型カプラ３１，３２のなかの一方は、前記ハウジング２５に溝２５’と突起３１’で填め込まれて一体に構成され、残った一方は、一側の固定部１５に位置されてスプリング３３の弾性力を受けて後退するように構成されている。そして、前記ヒンジのダミー３４は、円筒体に構成され、前記雌型及び雄型カプラ３１，３２が具備されない他側の固定部１５とハウジング２５の一側内周面に填められてこれらを連結する構成である。
【００４０】
このような構成によって、ホルダー２０の開閉動作時、前記ホルダー２０と一体に雌型カプラ３１が回転しながらスプリング３３の支持力を受ける雄型カプラ３２を後退させるようになる。
【００４１】
一方、前記ホルダー２０のハウジング２５内にはカメラ５０がホルダー２０の回動方向と同じ方向に回転できるように具備されている。
【００４２】
カメラ５０は、被写体を撮影した映像信号を相手方に送出したり、又はイメージ形態で保存したりするための入力装置として前記ホルダー２０のハウジング２５内部に回転可能に設置されている。この前記カメラ５０の回転方向は、ホルダー２０の前後面方向に回転される構成であり、図３はカメラ５０のレンズがホルダー２０の前面に向いている状態を示している。
【００４３】
このように構成される前記カメラ５０は、電源と映像信号及び制御信号を入出力するための手段として、前記ホルダー２０内の回路部（図示せず）と電気的に連結するＦＰＣ（ｐ２）が連結される構成であり、このＦＰＣ（ｐ２）は、一端が前記カメラ５０の一側に回路的に連結し、その他端はハウジング２５を介してホルダー２０側に延長される構成である。こうした構成の前記ハウジング２５は図示しないが、前記ＦＰＣ（ｐ２）がホルダー２０側に連結することができるように一部分がスリット形状に切り欠かれた通路を設けているのである。
【００４４】
一方、上記のようなカメラ５０が設置される前記ハウジング２５は、カメラ５０の回転時、一体に回転するレンズ部分が外部に露出された状態を維持できるように対応する部分が切り欠かれる構成であるか、又は対応する部分が、被写体が投影できるように透明な材質でカバーされる構成である。
【００４５】
駆動部は、撮影しようとする被写体を基準にカメラ５０の位置を回転させるためのもので、実質的に正逆方向に動力を発生させるモータ４１と、このモータ４１から出力された回転力を減速させながら同時にトルクを増大させる減速機４２とから構成されている。
【００４６】
即ち、前記モータ４１は、前記ハウジング２５の内部一側に固定設置され、外部から電源の供給を受けて回転力を生成するようになる。このモータ４１の一側には減速機４２が固定設置されてモータ４１で生成された回転力を減速しながらトルクを増大させて出力端ｓ１を回転させるのである。この前記出力端ｓ１の他端は図面で示されるとおり、カメラ５０の側面に一体に連結される構成である。
【００４７】
このような構成によって前記モータ４１の回転力は減速機４２を介して出力端ｓ１に連結したカメラ５０に伝達され、結果的にカメラ５０を正逆方向に回転させるようになる。
【００４８】
制御部は、使用者の操作信号の入力を受けて、前記駆動部に供給される電源を断続することによって、カメラ５０の位置を制御するためのもので、大きくは、スイッチＳＷと位相検出部４３とで構成されている。
【００４９】
前記スイッチＳＷは、実質的に使用者の操作力の入力を受ける入力手段として、前記本体１０の一側に突出されるように具備され、使用者の操作力によって駆動部に印加される電源を断続することができるように配線される構成である。このようなスイッチＳＷは、通常、モータ４１の正逆方向を制御するように構成されることが望ましい。
【００５０】
一方、前記スイッチＳＷは、使用者の操作が容易な位置、即ち、本体１０又はホルダー２０のいろいろな位置に多様な形態で具備することができる。一例として、本体１０の前面に設けられたキーボード、即ち、数字及び機能ボタン形態として提供することができる。また、前記スイッチは、携帯電話機に内蔵されたマイコンと回路的に連結してマイコンを介して駆動部を制御するように構成することもできるのである。
【００５１】
一方、前記位相検出部４３は、前記カメラ５０の位置を予めセッティングされた角度で回転させるためのもので、上述したスイッチＳＷ信号によって作動したり、又は別途の入力信号を介して作動したりするようにして、前記カメラ５０の位置を検出して所定の電気信号を駆動部に印加するように構成する。
【００５２】
このような前記位相検出部４３は、図４に示すとおり、回転体である前記カメラ５０と固定体である前記駆動部のそれぞれ対向する面にブラシ４３ａと整流子４３ｂを具備させて構成することができる。このときの前記整流子４３ｂは、ブラシ４３ａと接点時に通電をなす整流パターン区間を形成する構造である。即ち、前記カメラ５０と一体に回転するブラシ４３ａは、整流子４３ｂの整流パターンが形成された区間内でのみ通電がなされるため、この通電区間が終わる開始と終了部分で所定の電気信号を出力して駆動部の電源を断続させることができる。
【００５３】
本発明での位相検出部４３は、前記カメラ５０の位置を検出して駆動部に信号を印加する構造的な特徴を有するならば、上述した機構的な構成、即ち、ブラシ４３ａと整流子４３ｂとに限定されることなく、多様なセンシング手段を提案することができる。一例として、図面に示さないが、一種の磁界センサであるホールＩＣとマグネット又はＭＲ素子とマグネットを利用することができるのである。
【００５４】
上記のように構成される本発明に係るカメラ駆動装置が装着された携帯電話機は、使用者が本体１０の一側に設けられたスイッチＳＷを操作すると、このスイッチＳＷの操作信号によって前記モータ４１が正逆方向に駆動されると同時に減速機４２を介してカメラ５０に伝達される。
【００５５】
このとき、前記スイッチＳＷ信号は、多様な方法で駆動部、即ち、カメラ５０の回転角度を制御できるように構成される。一例として、使用者がスイッチＳＷを操作する時間の間、駆動部側に電気信号を印加することによって、結果的に前記カメラ５０がスイッチＳＷの操作時間の間、正逆方向に回転されるように構成することができる。
【００５６】
他の実施形態では、前記スイッチＳＷ信号によって上述した位相検出部４３がカメラの位相を検出して、これに伴う電気信号を出力する構成によって前記カメラ５０を製造者側で任意に設定した角度の正逆方向に回転するように構成することができる。
【００５７】
もう一つの実施形態では、前記使用者がスイッチＳＷを一度操作するようになると、この操作信号によって駆動部、即ち、カメラが回転するように構成するが、前記カメラの回転経路に機構的なストッパーを形成し、このストッパーによってカメラの回転が強制停止されるようにする。このとき、前記カメラが強制停止されるときの過電流を検出して駆動部の作動を制御するように構成することもできる。
【００５８】
部材番号の３５は、図面でみると、前記カメラ５０がハウジング２５の幅方向に流動するのを防止するブラケットで、ｐ１は、本体１０とホルダー２０とを回路的に連結するＦＰＣで、ｐ２は、前記カメラ５０に供給される電源と映像信号及び制御信号を入出力するためのＦＰＣである。
【００５９】
図５乃至図９は、図３の様々な実施形態を示した図面で、図５は、前記カメラ５０の幅の広さに対応する大きさのハウジング２５を一部切り欠いた構成を示している。また、図５では、前記カメラ５０に供給される電源と映像信号及び制御信号を入出力するためのＦＰＣ（ｐ２）がハウジング２５の一部分を経路としてホルダー２０側に連結される構成を示していて、このときの前記ハウジング１５は、図３のように、ＦＰＣ（ｐ２）が通過することができるように、スリット形状の通路が形成されている。
【００６０】
図６は、図５の構成で前記カメラ５０に供給される電源と映像信号及び制御信号を入出力するためのＦＰＣ（ｐ２）が固定部１５を介して本体１０側に連結する構成を示している。
【００６１】
図７は、図５に示された駆動部の位置と反対になる位置に駆動部が設けられてカメラ５０を駆動させる構成を示している。また、前記カメラ５０に供給される電源と映像信号及び制御信号を入出力するためのＦＰＣ（ｐ２）を図５と反対になるカメラ５０の側部に連結してホルダー２０で延長させた構成を示している。
【００６２】
図８は、落下又は外部からの衝撃によってカメラ５０が破損するのを防止できるように前記カメラ５０の両側に補強部６０を具備する構成を示している。このときの補強部６０は、前記固定部１５が突出される本体１０の一側面から一体に突出形成される構造であり、前記ハウジング２５の切り欠かれた部分と前記カメラ５０の側部の間に形成される空間に嵌合される構造である。
【００６３】
こうした前記補強部６０は、前記カメラ５０の両側部を強固に支持することによって落下又はその他の外部からの衝撃から前記カメラ５０を保護するのである。一方、前記図８では、前記カメラ５０に供給される電源と映像信号及び制御信号を入出力するためのＦＰＣ（ｐ２）が前記補強部６０内部を通過してホルダー２０側に連結される構成を示している。
【００６４】
そして、図９は、図８の構成で駆動部の位置が反対の位置に構成される実施形態を示している。
【００６５】
図１０は、本発明に係るカメラ駆動装置が装着された携帯電話機の第２実施形態を示したホルダー型携帯電話機の要部断面図で、図１１は図１０のＡ−Ａ線断面図である。
【００６６】
これに示されるとおり、カメラ駆動装置及びカメラ駆動装置が装着された携帯電話機は、大きく分けると、本体１０、ホルダー２０、そして、カメラ５０、駆動部及び制御部とから構成されている。このような構成は、上述した第１実施形態での携帯電話機の構造と実質的にほとんど同じである。
【００６７】
ただし、本実施形態ではカメラ５０がハウジング２５内に設置されないでハウジング２５の外部に、即ち、ホルダー２０側に設置されたことを提案している。したがって、以下では、本実施形態の技術的要部であるカメラ５０と駆動部及び動力伝達部、そして制御部について説明する。
【００６８】
前記カメラ５０は、前記ハウジング２５に近接されるホルダー２０の一側に形成された貫通孔に回転可能に設置される構成である。このときの前記カメラ５０の回転方向は、ホルダー２０の前後面方向を撮影するように構成される。
【００６９】
このように構成される前記カメラ５０は、動力伝達部を介して駆動部の駆動力が伝達されるように構成されている。前記駆動部は制御部によってその作動が制御される構成である。
【００７０】
前記駆動部は、撮影しようとする被写体を基準として、カメラ５０の位置を回転させるためのもので、実質的に正逆方向に動力を発生させるモータ４１と、このモータ４１から出力された回転力を減速させながら、同時にトルクを増大させる減速機４２とで構成されている。即ち、前記モータ４１は、前記ハウジング２５の内部一側に固定設置されて、外部からの電源の供給を受けて回転力を生成するようになるのである。このモータ４１の一側には減速機４２が固定設置されてモータ４１で生成された回転力を減速しながらトルクを増大させて出力端ｓ１を回転させるようにする。このとき、前記出力端ｓ１の他端は、図面で示すとおり、動力伝達部を構成する第１ギアｇ１に軸連結される構成である。
【００７１】
前記動力伝達部は、図面で見るように、駆動部の出力端ｓ１に連結して一体に回転をなす第１ギアｇ１と、この第１ギアｇ１と円周方向に噛合し、カメラ５０とポストｓ２で連結されて一体に回転をなす第２ギアｇ２で構成される。このとき、前記第１ギアｇ１と第２ギアｇ２は、半月ギアと平ギアとで構成されることが望ましい。
【００７２】
部材記号Ｗは、第１，２ギアが出力端ｓ１とポストｓ２で離脱するのを防止するためのワッシャである。
【００７３】
このような構成によって、前記モータ４１の正逆方向の回転力は減速機４２を介して出力端ｓ１に連結した第１ギアｇ１に伝達され、この第１ギアｇ１と噛合される第２ギアｇ２が連動してポストｓ２で連結したカメラ５０を正逆方向に回転させるようになる。
【００７４】
前記制御部は、使用者の操作信号の入力を受けて前記駆動部に供給される電源を断続することで、カメラ５０の位置を制御するためのスイッチＳＷが使用される。
【００７５】
このようなスイッチＳＷは、実質的に使用者の操作力の入力を受ける入力手段として、前記本体１０の一側に突出されるように具備されて、使用者の操作力によって駆動部に印加される電源を断続することができるように配線される構成である。このようなスイッチＳＷは、通常、モータ４１の正逆方向を制御するように構成されることが望ましい。
【００７６】
上記のとおりに構成される本発明の第２実施形態に伴うカメラ駆動装置が装着された携帯電話機は、使用者が本体１０の一側に設けられたスイッチＳＷを操作すると、このスイッチＳＷの操作信号によって前記モータ４１が正逆方向に駆動される。このときの駆動力は、減速機４２と第１ギアｇ１と第２ギアｇ２を通じてカメラ５０に伝達される。したがって、前記カメラ５０は、使用者がスイッチＳＷを操作する時間の間、正方向又は逆方向に回転する。
【００７７】
このように構成される本発明の第２実施形態によれば、前記カメラ５０を空間が狭いハウジング２５内に具備させずに、外部に構成させるので、製造及び設計の自由度が向上する効果を奏する。
【００７８】
一方、本実施形態では、スイッチＳＷによってのみ、前記カメラ５０が正逆方向に回転される構成を示したが、本発明はこれに制限されることなく、前述した第１実施形態の位相検出部４３を適用しても問題ない。
【００７９】
上記のとおりに構成される本発明に係るカメラ駆動装置及びカメラ駆動装置が装着された携帯電話機は、使用者が本体１０の一側に設けられたスイッチＳＷを操作すると、このスイッチＳＷの操作信号によって前記モータ４１が正逆方向に駆動されるとともに、減速機４２を介してカメラ５０に伝達される。
【００８０】
このとき、前記スイッチＳＷ信号は、多様な方法で駆動部、即ち、カメラの回転角度を制御できるように構成される。一例として、使用者がスイッチＳＷを操作する時間の間、駆動部側に電気信号を印加することで、前記カメラ５０が正逆方向に回転をなすように構成される。
【００８１】
他の実施形態では、前記スイッチＳＷ信号によって上述した位相検出部４３がカメラの位相を検出して、これに伴う電気信号を出力する構成によって前記カメラ５０を製造者側で任意に設定した角度で正逆方向に回転されるように構成することができる。
【００８２】
もう一つの実施形態では、前記使用者がスイッチＳＷを一度操作するようになると、この操作信号によって駆動部、即ち、カメラが回転をなすように構成するが、前記カメラの回転経路に機構的なストッパーを形成させ、このストッパーによってカメラの回転が強制停止されるようにし、このときのカメラが強制停止するときの過電流を検出して駆動部の作動を制御するように構成することもできる。前記のように構成して作用される本発明に係るカメラ駆動装置及びカメラ駆動装置が装着された携帯電話機は、使用者がスイッチ操作を介してカメラの撮影角度位置を簡便に制御できるようになる。
【００８３】
【発明の効果】
したがって、使用上の便利性が更に向上することによる製品の機能と品質向上を図ることができ、単一のカメラを使用するため、従来の複数個のカメラ装着型に比べて製品の製造コストが下がるとともに、設計上の自由度が更に向上する効果を奏するのである。
【図面の簡単な説明】
【図１】従来技術に係るカメラ内蔵ホルダー型の携帯電話機を示した斜視図である。
【図２】従来技術に係るカメラ内蔵ホルダー型の携帯電話機を示した斜視図である。
【図３】本発明に係るカメラ駆動装置及びカメラ駆動装置が装着された携帯電話機の第１実施形態を示したホルダー型携帯電話機の要部断面図である。
【図４】本発明に係るカメラ駆動装置及びカメラ駆動装置が装着された携帯電話機で制御部の一実施形態を示した斜視図である。
【図５】図３の様々な実施形態を示した要部断面図である。
【図６】図３の様々な実施形態を示した要部断面図である。
【図７】図３の様々な実施形態を示した要部断面図である。
【図８】図３の様々な実施形態を示した要部断面図である。
【図９】図３の様々な実施形態を示した要部断面図である。
【図１０】本発明に係るカメラ駆動装置及びカメラ駆動装置が装着された携帯電話機の第２実施形態を示したホルダー型携帯電話機の要部断面図である。
【図１１】図１０のＡ−Ａ線断面図である。
【符号の説明】
１０　本体
１１　ボタン
１５　固定部
２０　ホルダー
２１　表示窓
２２　スピーカ
２５　ハウジング
３０　ヒンジアセンブリ
３１　雌型カプラ
３２　雄型カプラ
３３　スプリング
３４　ヒンジのダミー
３５　ブラケット
４１　モータ
４２　減速機
４３　位相検出部
５０　カメラ
ｇ１，ｇ２　ギア
ＳＷ　スイッチ
【図１】
2004015798.tif 000003
【図２】
2004015798.tif 000004
【図３】
2004015798.tif 000005
【図４】
2004015798.tif 000006
【図５】
2004015798.tif 000007
【図６】
2004015798.tif 000008
【図７】
2004015798.tif 000009
【図８】
2004015798.tif 000010
【図９】
2004015798.tif 000011
【図１０】
2004015798.tif 000012
【図１１】
2004015798.tif 000013